【事件の表示】
　平成　９年特許願第１９７１３３号「光ディスクへの記録方法」拒絶査定に対する審判事件〔平成１０年　５月　６日出願公開、特開平１０−１１６４７５、請求項の数（２）〕について、次のとおり審決する。
【結　論】
　原査定を取り消す。
　本願の発明は、特許すべきものとする。
【理　由】
　
１．手続の経緯・本願発明
　本願は、平成９年７月23日（パリ条約による優先権主張 1996年７月23日（韓国（KR））、1997年７月14日（韓国（KR）））の出願であって、その請求項１、２に係る発明は、平成14年５月13日付け、及び、平成14年11月６日付けの手続補正書により補正された明細書の特許請求の範囲の請求項１、２に記載された事項により特定される次のとおりのものであると認める。
　
「【請求項１】 記録しようとするユーザー情報を複数のユーザーブロック情報に分割し、分割した各ユーザーブロック情報をそれぞれ複数の単位ブロックとして光ディスクの信号トラックに記録する記録方法であって、
　前記複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録することを特徴とする、光ディスクへの記録方法。
【請求項２】 請求項１記載の光ディスクへの記録方法において、
　前記信号トラックの不連続記録位置に直接隣接した前記単位ブロックの前記不連続記録位置に直接隣接した部分に、余白区間を設け、この余白区間に続いて前記クロック安定化情報を記録することを特徴とする、光ディスクへの記録方法。」
　
２．原査定の拒絶の理由の概要
　原査定の拒絶の理由の概要は、本願の請求項１、２に記載された事項により特定される発明は、次の引用例１〜４に記載された発明、及び、周知技術（周知例１、２）に基づいて当業者が容易に発明をすることができたものであるから、特許法第29条第２項の規定により特許を受けることができない、というものである。
　　引用例１：特開平 6-124547号公報
　　引用例２：特開平 5- 73920号公報
　　引用例３：特開平 2-141976号公報
　　引用例４：特開平 6-131824号公報
　　周知例１：特開昭64-  1167号公報　
　　周知例２：特開昭63- 39137号公報
  また、前置報告書において、次の周知例も示されている。
　　周知例３：特開平 7-225949号公報
　　周知例４：特開平 6-208723号公報
　
３．引用例に開示された事項
　上記各引用例に開示されている事項は、それぞれ次のとおりのものである。
　
 引用例１
　光ディスク担体に記録した２値のデジタル信号であって、再生ロック抽出用位相同期回路の初期引き込みのための一定周波数の位相引き込みパターンと、この位相引き込みパターンに続き記録データの先頭開始位置を示すデータマークパターンと、このデータマークパターンに続き記録変調をしたデータパターンと、このデータパターンの一定長ｍバイト長ごとに挿入され、かつデータの区切りを示す複数のｎバイト長の再同期パターンとからなるデータ列の再生方式において、前記データマークパターンの一部が欠落して検出が失敗したとき、前記データマークパターンに続く第１の再同期パターンの検出を起点とし、かつ前記データ列をｍ＋ｎバイト分遅延させた信号により再生を開始すること。
　また、図５(a)(b)には、位相引き込みパターン（VFO3）１が示されている。
　
 引用例２
  再生デューティ比のずれに起因した再生クロック信号生成の不安定さと、エッジ検出ずれを解消し、情報再生時の弁別タイミングマージンの向上を図ることを目的として、
　位相差検出回路７において再生エッジ信号と再生クロック信号との位相差を検出し、情報マーク前縁部に対応した前縁位相差信号を再生クロック回路10に供給することにより、再生クロック信号の生成位相を補正制御し、また、情報マーク後縁部に対応した後縁位相差信号を再生パルス化回路４に供給することにより再生エッジ信号後縁のデューティ補正制御を行うこと。
  また、コード情報を扱う光ディスク装置などではセクタと呼ばれるブロック単位に情報が記録され、図５の再生アナログ信号(a)に示すように再生クロック信号の同期引込み用にVFOバーストと称するエリアが備えられており、VFOバースト部の所定位置もしくは同期完了時点において同期完了信号(l)を得て、同期完了以前においては再生クロック信号(h）に対する位相補正制御のみを実行し、同期完了以降において、上記位相補正制御とデューティ補正制御の両者を実行すること。
　
 引用例３
　光ディスクは１トラックがセクタと呼ばれる複数の単位ブロックに分けられ、かつそれぞれのセクタの先頭部分にはプリフォーマット部と呼ばれるアドレス部が設けられ、PLL回路は、プリフォーマット部におけるVFOと呼ばれる同一パターンの繰り返し領域で動作を開始し、VFOが終わらないうちにロックすること。
　また、一方の入力端子ａに切換スイッチ２を介して入力データパルスまたは基準クロックが入力される位相比較器１、位相比較器１の出力信号が入力されるローパスフィルタLPF４、ローパスフィルタLPF４の出力信号を制御信号としてその発振出力を位相比較器の他方の入力端子ｂに入力する電圧制御発振器VCO５を有するPLLと、位相比較器１の入力信号及び切換スイッチの制御信号に基づきPLLのロック状態を検出するロック検出器６と、ロック検出器６の検出信号及び切換スイッチの制御信号に基づきPLLのロック状態を監視するロック監視回路７とを設け、所定時間内にロックしない場合はPLLの追従動作を停止すること。
　
　引用例４
　記録媒体より同期信号が生成できない場合でも、安定して記録データを再生するために、
　所定のパターンのクロックを記録したクロック部（VFO部）とデジタル情報を記録したデータ部とからなる記録領域を複数有する記録媒体のクロック及びデジタル情報を検出する検出手段と、クロックに基づいた同期信号を生成する同期信号生成手段と、所定の周波数の疑似クロック（疑似VFO）を生成する疑似クロック生成手段と、疑似クロック挿入手段とを備え、疑似クロック挿入手段は、クロックに基づく同期信号が生成できない場合にクロックの代わりに疑似クロックを同期信号生成手段に挿入し、疑似クロックに基づき同期信号を生成させること。
　また、追記型あるいは書換可能な記録媒体に情報をデータ部に記録した直後に、通常情報が確実に記録されたかどうかベリファイ動作を行う。このように情報を記録する場合、データ記録部の先頭部にクロックパターン、たとえば、光ディスクにおいてはVFO3のピットパターンを記録した後にデータ部に情報を記録する。そしてベリファイ動作にはVFO3のピットパターンを読み出してVFO信号を得、このVFO信号に基づいたクロックによりデータを再生してベリファイを行う必要がある。従って、確実にベリファイを行うために、/DVFOSLCT信号をコントロールすることによりDVFO信号を用いることなく、媒体からのVFO信号のみで同期をとりベリファイを行う。このように記録された情報を読み出す通常の再生時に、何らかの原因で媒体VFO部で同期がとれない場合は、DVFO信号を挿入して同期をとり、データを確実に再生すること。
　
 周知例１
　時間的に等間隔のプリピットを有する第１の領域と情報が記録される第２の領域とが交互に配置された記録担体を用い、プリピットからの再生信号に基づき、クロックを発生させてこの発生クロックにより第２の領域に情報を記録するとともに、上記クロックを遅延させこの遅延クロックにより第２の領域の情報である追記データピットを再生すること。
　また、上記遅延量は、遅延クロックと追記データピットからの再生信号との位相差を検出し、その位相差が最小となるようにフィードバック制御されること。　
　さらに、追記データピットの記録時にデータピット列の先頭に追加同期ピットを記録しておき、再生時にはその追加同期ピットからの再生信号と、プリピットからの再生信号に基づき発生させたクロックとの位相差を検出し、その位相差が最小となるような遅延量をクロックに与えてデータピット列再生用クロックを作成し、遅延させたクロックにより追記データピットの再生を行うこと。
　
 周知例２
　セクタマークの検出が行えず、さらに代替信号の位置が正規の位置よりずれている再生時や、こうしたずれた状態で記録が行われてしまったセクタの再生時においても追記部のデータを正しく読み取ることができるように、
　追記部の先頭にVFOSYNC等の特殊パターンを設定して書き込み、再生時にこの特殊パターンを検出して追記部データ読み取りの基準とすること。
　
 周知例３
　光ヘッドは、記録媒体に予め記録されている基準位置データを表わすマークの再生、および、記録媒体に記録すべきデータを表わすマークの記録再生を行ない、基準クロック信号形成手段は、光ヘッドが読み出した基準位置データを表わすマークの信号から基準のクロック信号を形成する。
　また、記録制御手段は、記録すべきデータを表わす信号を、クロック信号に同期させて光ヘッドに受渡し記録媒体に記録させる。再生制御手段は、光ヘッドが再生した信号と、クロック信号とを同期させてデータを読み出すこと。
　
 周知例４
　スピンドルモータ13からの回転タイミング信号Stに基づいて生成されたクロック信号Scと、制御部36からの記録データDpに基づいて記録信号Swを作成する記録信号発生器34を備えた光ディスク装置。
　
４．対比・判断
　
【請求項１に係る発明について】
　請求項１に係る発明と引用例１〜３に記載されたものとを対比すると、「クロック安定化情報」の記録に関して、引用例１には、光ディスクに再生ロック抽出用位相同期回路の初期引き込みのための一定周波数の位相引き込みパターンVFO3（クロック安定化情報）を記録することが、引用例２には、光ディスクのセクタと呼ばれるブロック単位に情報が記録されること、再生クロック信号の同期引込み用にVFOバースト（クロック安定化情報）と称するエリアが備えられることが、引用例３には、セクタの先頭部分にはプリフォーマット部と呼ばれるアドレス部が設けられ、PLL回路は、プリフォーマット部におけるVFO（クロック安定化情報）と呼ばれる同一パターンの繰り返し領域で動作を開始することが、それぞれ示されているものの、引用例１〜３には単に光ディスクにVFO（クロック安定化情報）を設けることが示されているだけで、請求項１に係る発明を特定する事項である「複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録する」ことは記載されておらず、示唆されているともいえない。
　引用例４は、光ディスクにVFO3のピットパターン（クロック安定化情報）を記録した後にデータ部に情報を記録するものであるが、請求項１に係る発明を特定する事項である「複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録する」ことは記載されておらず、示唆されているともいえない。
　周知例１、２は、記録媒体に情報を追記する際、再生に必要な追記同期ピットやVFOSYNCを追記部データの先頭に記録するものであるが、請求項１に係る発明を特定する事項である「複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録する」ことは記載されておらず、示唆されているともいえない。
　周知例３、４は、記録媒体にデータを記録する際記録媒体から読み出されるクロック等の信号に同期させて記録を行うものであるが、請求項１に係る発明を特定する事項である「複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録する」ことは記載されておらず、示唆されているともいえない。
　結局、引用例１〜４、及び周知例１〜４の何れにも、請求項１に係る発明を特定する事項である「複数の単位ブロックのうち、前記信号トラックの不連続記録位置に直接隣接した単位ブロックの一部分に、この単位ブロックの物理的位置を指示する補助信号に対応して所定の周波数を有するクロックを基礎にしたクロック安定化情報を記録する」ことは記載されておらず、示唆されているともいえない。また、上記特定事項を周知技術、もしくは当業者の技術常識であるとする根拠も見当たらない。
　
　請求項１に係る発明は、上記特定事項を含む事項により、光ディスクの記録容量を大きくでき、かつユーザー情報を安定して再生でき、特に信号トラックの不連続記録位置に隣接した単位ブロックのユーザー情報の再生の際にそのユーザー情報を安定して再生できるという、引用例１〜４、及び周知例１〜４には期待できない格別な作用効果を奏するものである。
　
　したがって、請求項１に係る発明は、引用例１〜４に記載された発明、及び周知例１〜４に基づいて当業者が容易に発明をすることができたものとすることはできない。
　
【請求項２に係る発明について】
　請求項２に係る発明は、請求項１を引用するものである。請求項１に係る発明が上記したように引用例１〜４に記載された発明、及び周知例１〜４に基づいて当業者が容易に発明をすることができたものとすることはできない以上、請求項２に係る発明も、引用例１〜４に記載された発明、及び周知例１〜４に基づいて当業者が容易に発明をすることができたものとすることはできない。
　
５．むすび
　以上のとおりであるから、本願は、原査定の拒絶の理由によって拒絶すべきものであるとすることはできない。
　また、他に本願を拒絶すべき理由を発見しない。
　
　よって、結論のとおり審決する。